(57)【要約】【課題】集熱器の輻射と対流による放熱を低減して、住宅の屋根材として設置できるようにして、太陽熱を利用した熱媒体の加熱のために必要な熱量を効率良く回収することを目的とする。【解決手段】反射鏡１の端部は屈曲させて集熱部３を間隙を介して内包して構成したことにより、高温となった集熱部３から外部へ放射する輻射熱を防止でき、また、集熱部３から周囲の気体に放熱した熱は、高温状態で密閉てきるので、効率良く熱媒体７を加熱し、太陽熱集熱器の効率を向上でき、コンパクト化や簡素化を図ることができる。【選択図】図１
2008133991.tif 000002
【特許請求の範囲】
【請求項１】
太陽熱を集熱する反射鏡と、熱媒体を流す熱媒体配管を設けた集熱部とを具備し、前記反射鏡の端部を１８０°以上屈曲させて前記集熱部を間隙を介して内包した太陽熱集熱器。
【請求項２】
反射鏡の屈曲した部分に断熱材を設けた請求項１記載の太陽熱集熱器。
【請求項３】
反射鏡の太陽光の当る面の反対側は断熱材を設け、反射鏡の屈曲した部分は第２の反射鏡で断熱材を覆った請求項１または２記載の太陽熱集熱器。
【請求項４】
複数の反射鏡を設けると共に、集熱部は、内部に熱媒体を流通させるために一体の集熱管を複数個の反射鏡内に連通させて配置した請求項１〜３いずれか１項記載の太陽熱集熱器。
【請求項５】
集熱部は、表面に赤外線を吸収する選択吸収膜を装着した請求項１〜４いずれか１項記載の太陽熱集熱器。
【請求項６】
熱伝導率の小さいガスを注入した外装に反射鏡および集熱部を密封した請求項１〜５いずれか１項記載の太陽熱集熱器。
【請求項７】
請求項１〜６いずれか１項記載の太陽熱集熱器を搭載した太陽熱コージェネレーションシステム。
【発明の詳細な説明】
【技術分野】
【０００１】
本発明は、例えば、太陽熱を利用したコージェネレーションシステムに搭載される太陽熱集熱器に関するものである。
【背景技術】
【０００２】
図５は従来のこの種の太陽熱集熱器を示し、断面を複合放物面（ＣＰＣ）とした桶型の細長い反射鏡１０１の少し上方に二次元状に存在する焦点に集熱管１０２を配置したものとなっている。
【０００３】
そして、この集光反射鏡１０１と集熱管１０２からなる集熱部１０３を複数個並べて、それぞれの集熱管１０２を熱媒体配管１０４で接続し、熱媒体入口１０５から熱媒体出口１０６までを１つにつないだ管路を形成している。
【０００４】
また、集光反射鏡１０１の開口側を光透過体１０７で、その他の部分をケーシング１０８で囲う構成としている。
【０００５】
太陽熱のほとんどを透過する熱透過体１０７とケーシング１０８により囲われる空間は密閉されており、集熱器外部の空気が集熱管１０２と接することがないようになっている。
【０００６】
太陽熱は、熱透過体１０７を通り抜けて反射鏡１０１で反射され、その焦点に配置された集熱管１０２に集められる。
【０００７】
集められた太陽熱は集熱管１０２の表面において吸収される。熱媒体は熱媒体入口１０５からすべての集熱管１０２の内部を順に通って、熱媒体出口１０６へと流れていき、その過程で集熱管１０２によって加熱される。
【０００８】
この時、集熱管１０２は高温となっているため、その周囲にある気体へ熱が放熱されるが、熱透過体１０１７とケーシング０８によって内部を密閉することで対流による外部への放熱を抑制している。また、熱透過体１０７によって太陽熱のほとんどを透過しながら、高温となった集熱管２から放射される赤外波長のほとんどを外部へと透過させないことによって外部への熱放射を抑制している。
【０００９】
このようにして変換された熱の外部への放熱ロスを抑制することで効率の良い太陽熱集熱器としている（例えば、特許文献１参照）。
【特許文献１】特開２００２−２２８２７１号公報
【発明の開示】
【発明が解決しようとする課題】
【００１０】
しかしながら、前記従来技術では、太陽熱を反射鏡にて集熱管に集めて熱媒体を流しながら加熱をおこなう。このため、集熱管やその内部の熱媒体の温度上昇に伴い、その周辺の空気などの温度も集熱部の温度上昇につれて高温となっていく。断熱材を含んだケーシングや熱透過体による密閉構造などにより、断熱構造としているものの、内部の集熱管や熱媒体の温度が高いと外部との温度差が大きくなるので、集熱部から外部への放熱量は増加し、太陽熱集熱器としての効率が悪くなるという課題があった。
【００１１】
本発明は、上記従来の課題を解決するもので、効率のよい太陽熱集熱器を提供すること
を目的とする。
【課題を解決するための手段】
【００１２】
前記従来の課題を解決するために、本発明の太陽熱集熱器は、反射鏡の端部を１８０°以上屈曲させて集熱部を間隙を介してこの屈曲空間に内包したもので、集熱部は外部に直接面する部分がなくなり、遮熱できるため、集熱部から外部へ放射する輻射熱を防止でき、太陽熱集熱器の効率を向上するものである。
【発明の効果】
【００１３】
本発明の太陽熱集熱器は、反射鏡の端部は１８０°以上屈曲させて集熱部を間隙を介して内包して構成したことにより、高温となった集熱部から外部へ放射する輻射熱を防止でき、また、集熱部から周囲の気体に放熱した熱は、高温状態で密閉てきるので、高温部からの放熱損失を低減し、効率良く熱媒体を加熱するともに、出口温度を上昇させ、太陽熱集熱器の効率を向上できる。
【発明を実施するための最良の形態】
【００１４】
第１の発明は、太陽光を集光する反射鏡と、熱媒体を流す熱媒体配管を設けた集熱部とを具備し、前記反射鏡の端部は１８０°以上屈曲させて前記集熱部を間隙を介して内包して構成したことにより、集熱部は外部に直接面する部分がなく遮熱できるため、集熱部から外部へ放射する輻射熱を防止でき、かつ、集熱部から周囲の気体に放熱した熱を密閉てきるので、太陽熱集熱器の効率を向上するものである。
【００１５】
すなわち、太陽熱は反射鏡により一回または複数回反射して集熱部に達し、熱媒体配管の熱媒体を加熱してその温度を上昇させる。
【００１６】
このため、高温となった集熱部からは、輻射と対流による放熱が発生するが、反射鏡により集熱部を内包して構成しているため、集熱部から放射する赤外線は必ず反射鏡に衝突し、その大半は再び集熱部と反射鏡に当って減衰し、赤外線が外部に放射するのを防止できる。
【００１７】
そのため、集熱部から外部へ放射する輻射熱を防止でき、また、反射鏡により集熱部を間隙を介して内包して構成たことにより、高温の集熱部からの対流放熱により加熱された集熱部の周囲の気体は外部と接することなく反射鏡の屈曲部に滞留する。
【００１８】
したがって、集熱部の周りだけが高温状態で密閉できるので、高温部からの放熱損失が低減し、熱媒体の出口温度を上昇させることが可能となる。
【００１９】
第２の発明は、特に、第１の発明の反射鏡の屈曲した部分に断熱材を設けた構成としたことにより、太陽光を反射鏡により集熱部に吸収して熱エネルギーに変換して熱媒体の温度を上昇した時、高温の集熱部からの対流放熱により加熱された集熱部の周囲の気体は高温となる。
【００２０】
反射鏡の屈曲した部分に断熱材を設けたことにより、前記集熱部の周囲の高温となった気体から反射鏡を伝熱して外部に放熱するのを防止して、放熱損失がさらに低減する。
【００２１】
このため、外部への放熱を防止でき効率良く熱媒体を加熱するともに、集熱部の放熱が少ないことは熱媒体の温度を高くしても高効率に保てることが可能となる。
【００２２】
第３の発明は、特に、第１または第２の発明の反射鏡の太陽光の当る面の反対側は断熱材を設け、反射鏡の屈曲した部分は第２の反射鏡で断熱材を覆ったことにより、集光面積
を大きくして、受熱量を増加できる。
【００２３】
すなわち、断熱材に当る太陽光を第２の反射鏡で反射させ、集熱部に導くことが可能となり、太陽光が当る集光面積は第2の反射鏡の面積だけ増加するため、集光熱量が増加し、この分、太陽熱集熱器のコンパクト化や簡素化を可能とできる。
【００２４】
第４の発明は、特に、第１〜３のいずれか１つの発明の複数の反射鏡を設けると共に、集熱部は、内部に熱媒体を流通させるために一体の集熱管を複数個の反射鏡内に連通させて配置したことにより、熱媒体がそれぞれの反射鏡を通過しながら集中する太陽熱で加熱されので、熱媒体の温度を高温に維持しながら所定の熱量を得ることができる。
【００２５】
第５の発明は、特に、第１〜４のいずれか１つの発明の集熱部は、表面に赤外線を吸収する選択吸収膜を装着したことにより、集熱部からの赤外線放射を防止して集熱部の温度を高温に維持して、熱媒体にその熱を効率良く伝えることができる。
【００２６】
第６の発明は、特に、第１〜５のいずれか１つの発明は、外装内部に熱伝導率の小さいガスを注入し、密封したことにより、外装内における空気の対流熱伝達による放熱を大幅に小さくして、外装からの放熱を低減させ集熱効率を向上することができる。
【００２７】
第７の発明は、特に、第１〜６のいずれか１つの発明の集熱器を太陽熱ランキンシステムに搭載して、発電と給湯・暖房などのコージェネレーションのシステムをを実現することができる。
【００２８】
（実施の形態１）
図１において、１は太陽熱を集熱する反射鏡で、太陽熱を集束させるために放物面をベースにインボリュート状に形成するとともに、端部は１８０°以上螺旋状に屈曲させて樋型に構成している。
【００２９】
この樋型の反射鏡１を方位方向（東西方向）に伸ばして一つの反射鏡ユニットを構成している。
【００３０】
反射鏡１の反射面２は、太陽熱の反射率を向上させるために鏡面に仕上げている。この鏡面仕上げは、反射鏡１を構成する材料により、めっき、蒸着、研磨、塗装等の方法がある。
【００３１】
反射鏡１の加工は、耐熱の樹脂（例えば、フェノール樹脂、フッ素樹脂、ポリイミド樹脂等）を成型したもの、ステンレスをプレス加工したもの、或いはアルミダイカスト成型等の方法がある。
【００３２】
また、アルミの鏡面仕上げ板を折り曲げる方法もある。例えば、反射鏡１を耐熱樹脂で成型した時は、鏡面をアルミめっき（蒸着）や塗装で仕上げて反射面２を形成する。特に、鏡面をアルミめっきする時は、ポリイミド樹脂やポリフェニレンサルファイド樹脂またはポリステル樹脂、ポリアミド樹脂等を使用する。
【００３３】
ステンレスをプレス加工したときは、アルミ電解研磨やバフ研磨等で鏡面を形成することもある。
【００３４】
アルミダイカストの成型でもめっき等により鏡面仕上げを行い、アルミダイカスト材料の研磨後の酸化皮膜による反射率の低下を防止することもある。
【００３５】
３は集熱部で、管（銅管やステンレス管や黄銅管やアルミ管等）で構成し、東西方向に伸ばして構成した樋型の反射鏡１の屈曲部に間隙を介して内包してある。
【００３６】
放物面の反射鏡１は、入ってくる太陽熱を反射面２で屈曲させながら集熱部３の表面に焦点を結ぶ様に形状を構成している。
【００３７】
反射鏡１の屈曲した部分の外周には断熱材４を設け、第２の反射鏡５でその断熱材４の外側を覆った構成である。
【００３８】
断熱材４は、樹脂あるいは無機材料、真空断熱構成等により熱伝道の低い材料を用い、反射鏡１あるいは第２の反射鏡５に接着あるいは挟み込みにより取り付ける。
【００３９】
外から入ってくる太陽熱は、反射鏡１の反射面２と第２の反射鏡５の反射面６で屈曲させながら集熱部３の表面に焦点を結ぶ様にしている。
【００４０】
７は、集熱部３の内部に供給される熱媒体で、代替フロン（ＨＦＣ：Ｈｙｄｒｏｇｅｎｅｒａｔｅｄ  Ｆｌｕｏｒｏ  Ｃａｒｂｏｎ）の１３４Ａや二酸化炭素（ＣＯ2）、あるいはアルコール類を使用している。
【００４１】
この熱媒体７の流通が抵抗にならない程度に集熱部３の管外径を小さく構成して、太陽光が集熱部３に多く集中できるようにしている。管外径が小さいほど集熱比（太陽熱の入射面積で焦点面積を除したもの、樋型では、反射鏡の開口幅で焦点の管外径を除した値）が高くなり、集熱部３を高温にできる。
【００４２】
集熱部３の表面には、選択吸収膜を形成している。この選択吸収膜は、集熱部３の表面に黒色の黒クロムまたは無電解ニッケルのめっき処理を行うようにしている。めっきの替わりにマンガン系の黒色塗料を塗布することもある。
【００４３】
８は、反射鏡１と集熱部３を収納した外装で、上部に太陽熱が透過する透過体９を設けて箱状に構成しており、腐食の少ないステンレスや耐候性のある樹脂材料（例えば、ポリエステル樹脂、ポリカーボネート樹脂等）からなる。
【００４４】
反射鏡１や集熱部３の周囲を覆う外装断熱材１０は、外装８の内壁に沿って充填している。この外装断熱材１０を耐熱性のロックウール、グラスウール等で構成するとともに、表面を硬化させて、それだけで外装８とすることも考えられ、この場合には、内面に補強材を入れておくことが望ましい。
【００４５】
透過体９は、内部に雨やホコリが侵入するのを防止するものであるが、太陽熱を通過させるために透過率の大きな透明ガラス等を使用する（このような透明ガラスの日射透過率は、約９０％である）。
【００４６】
透過体９に向かって反射鏡１と第２の反射鏡５を傾斜させて、上方に広がるように構成して、太陽の高度に合わせて反射鏡１で太陽熱を多く受けられるようにしている。
【００４７】
１１は、熱媒体１３の循環ポンプ、１２は、熱媒体７が流れる回路、１３は、熱媒体７からの高温の熱を蓄える蓄熱槽である。
【００４８】
以上のように構成された集熱器について、以下その動作、作用を説明する。
【００４９】
まず、循環ポンプ１１を作動し、熱媒体７を回路１２内に循環させ、集熱部３に送る。
集熱部３では、太陽光が反射鏡１及び第２の反射鏡５の反射面２，６に当たる。太陽熱は、高度と方位の変化によって反射面２，６に斜め方向からも当たって繰り返し反射されて集熱部３に集中し、集熱部３の温度を上昇させる。
【００５０】
集熱部３の表面に装着した選択吸収膜により、太陽熱の約９０％が吸収され、したがって、熱媒体７を送ると、高温の液体または蒸気（または液体や蒸気と液体が混ざったもの等）を生成して蓄熱槽１３に送られる。
【００５１】
蓄熱槽１３では、この液体または蒸気を受けて２００℃程度の熱量を蓄積するようにしている。
【００５２】
熱媒体７の液体または蒸気は、蓄熱槽１３で凝縮して液体となり、循環ポンプ１１により再度、集熱部３に送られ、加熱されるようにしている。この動作を太陽熱の供給が可能な間、繰り返すことにより、必要な熱量を蓄熱槽１３に維持するようにしている。
【００５３】
ところで、反射鏡１の端部は１８０°以上屈曲させて集熱部３を間隙を介して内包していることにより、集熱部３は外部に直接面する部分がなく遮断できる。
【００５４】
このため、集熱部３から外部へ放射する輻射熱を防止でき、かつ、集熱部３から周囲の気体に放熱した熱を密閉てきるので、太陽熱集熱器の効率を向上する。
【００５５】
すなわち、太陽熱は反射鏡１と第２の反射鏡１１の反射面２，６により一回または複数回反射して集熱部３に達し、熱媒体７の温度を上昇させる。このため、高温となった集熱部３からは、輻射と対流による放熱が発生するが、反射鏡１により集熱部３を内包しているところからそれらの熱は必ず反射鏡１に衝突し、その大半は再び集熱部３に当って、外部に放射するのを防止できる。
【００５６】
そのため、集熱部３から外部へ放射する輻射熱を防止でき、また、反射鏡１により集熱部３を間隙を介して内包して構成たことにより、高温の集熱部３からの対流放熱により加熱された周囲の気体は、外部と接することなく反射鏡１の屈曲部に滞留する。その結果、集熱部３の周りが高温状態で密閉できるので、高温部からの放熱損失が低減する。
【００５７】
このように、外部への放熱を防止でき、効率良く熱媒体７を加熱するともに、集熱部３の放熱が少ないことは熱媒体７の温度を高くしても高効率に保てるから、熱媒体の出口温度を上昇させることが可能となる。よって、向上した効率性能を利用して太陽熱集熱器のコンパクト化や簡素化を可能とできる。
【００５８】
また、反射鏡１の屈曲した部分に断熱材４を設けたことにより、太陽熱を反射鏡１により集熱部３に集熱して熱媒体７の温度を上昇した時、高温の集熱部３からの対流放熱により周囲の気体は高温となる。反射鏡１の屈曲した部分に断熱材４を設けたことにより、集熱部３の周囲の高温となった気体から反射鏡１に伝熱して外部へと放熱するのを防止して、放熱損失がさらに低減する。
【００５９】
このため、外部への放熱を防止でき効率良く熱媒体を加熱するともに、集熱部３の放熱が少ないことは熱媒体７の温度をさらに高くしても高効率に保てることが可能となる。
【００６０】
また、反射鏡１の太陽熱の当る面の反対側は断熱材４を設け、反射鏡１の屈曲した部分には第２の反射鏡５で断熱材４を覆ったことにより、集光面積を大きくして、受熱量を増加できる。
【００６１】
すなわち、断熱材４に当る太陽熱を第２の反射鏡５で反射させ、集熱部３に導くことが可能となり、太陽光が当る集光面積は第２の反射鏡５の投影面積だけ増加する。このため、集光熱量がこの面積に相当するだけ増加し、この分、太陽熱集熱器のコンパクト化や簡素化を可能とでき、構成部品や制御の簡略化によりコストダウンを図ることができる。
【００６２】
なお、本実施の形態では反射鏡１、集熱部３が１個だけであるが、複数の反射鏡１を設けると共に、集熱部３は、内部に熱媒体７を流通させるために一体の集熱管を複数個の反射鏡内に連通させて配置したことにより、熱媒体７がそれぞれの反射鏡１を通過しながら集中する太陽熱で加熱され、熱媒体の温度を高温に維持しながら所定の熱量を得ることができる。
【００６３】
また、集熱部３は、表面に選択透過性能を有する耐熱性、耐候性の優れた樹脂材料（例えば、ポリカーボネート等）で構成した赤外線を吸収する選択吸収膜を装着したことにより、集熱部３からの赤外線放射を防止してその温度を高温に維持し、熱媒体７にその熱を効率良く伝えることができ、軽量化と低コスト化を行うことができる。
【００６４】
さらに、外装８は、透過体９で封口して内部に熱伝導率の小さいガス（例えば、クリプトンガス）を注入し、密封してあるので、外装８内における空気の対流熱伝達による放熱を大幅に小さくして、集熱効率を向上することができる。
【００６５】
そして、外装８は、反射鏡１が開口された側に透過体９を装着したことにより、内部に雨水やホコリが堆積せず、長期間にわたって集熱効率を良好に維持することができる。併せて、高温の集熱部３を覆い安全性を高め、各部位の劣化を防止して、長期間の使用に耐えるようにしている。
【００６６】
（実施の形態２）
図２は太陽熱ランキンシステムに使用したもので、１４は、太陽熱を受けて回収する集熱器で、この集熱器１４の熱を蓄熱槽１５に伝えるために、循環ポンプ１６を途中に設けた回路１７（閉回路）を設けている。
【００６７】
回路１７内を循環する熱媒体７は、フロンや水のような液体で構成している（熱媒体７は、超臨界状態のＣＯ2や液体空気を用いる場合もある）。
【００６８】
熱媒体７は、集熱器１４で加熱されて蒸気になり蓄熱槽１５に送られ、そこで熱交換することで凝縮し液体となる。この熱媒体７を循環ポンプ１６で再度集熱器１４に送るようにしている。この動作を繰り返すことで、蓄熱槽１５に熱を貯めるようにしている。
【００６９】
蓄熱槽１５は、融点の高い溶融塩の相変化を利用した潜熱型や溶融塩や油等を用いた顕熱型や蒸気を圧力水の形で蓄える蒸気アキュムレイタ等を用いることで１００℃以上の高温の熱を貯めるようにしている。
【００７０】
１８は、蓄熱槽１５の熱を熱源とする熱媒体１９の蒸気を蒸気タービン２０に供給する供給ポンプで、この蒸気タービン２０から排出された熱媒体１９を再度蓄熱槽１５に送る回路２１（閉回路）の途中に設けている。
【００７１】
この回路２１内を循環する熱媒体１９は、フロンや水のような液体とその蒸気で構成している（熱媒体１９は、超臨界状態のＣＯ2や液体空気を用いる場合もある）。
【００７２】
また、回路２１の蒸気タービン２０と供給ポンプ１８の途中に貯湯タンク２２を設けて、蒸気タービン２０に運動エネルギを与えた後の高温蒸気の熱を利用して、貯湯タンク２
２の湯水を加熱するようにしている。
【００７３】
熱媒体１９は、この貯湯タンク２２の湯水に熱を伝えるときに凝縮して液体となり、再度蓄熱槽１５に送られて加熱されて気化されるようにしている。この動作を繰り返すことで、蒸気タービン２０に設けた発電機２３により発電しながら貯湯タンク２２にお湯を貯めるようにしている。貯湯タンク２２に貯められたお湯は、給水ポンプ２４により給湯用や暖房用に供給されるようにしている。
【００７４】
このように、集熱器１４で回収した熱を利用して蒸気タービン２０３を回転させる太陽熱ランキンシステムを構成し、給湯や暖房を行うための回路を組み合わせてコージェネレーションシステムを構成するようにいている。
【００７５】
以上のように構成された太陽熱ランキンシステムを搭載したコージェネレーションシステムについて、以下その動作、作用を説明する。
【００７６】
まず、蒸気タービン２０に供給する熱媒体１９の蒸気を形成するためには、循環ポンプ１６を作動し、熱媒体７を回路１７内に循環させ、太陽の熱を受けた集熱器１４で加熱し、高温の蒸気（または液体や蒸気と液体が混ざったもの等）を形成して蓄熱槽１５に送る。蓄熱槽１５では、この蒸気を受けて２００℃程度の熱量を蓄積するようにしている。
【００７７】
熱媒体７の蒸気は、蓄熱槽１５で凝縮して液体となり、循環ポンプ１６により再度、集熱器１４に送られ、加熱されるようにしている。
【００７８】
この動作を太陽熱の供給が可能な間、繰り返すことにより、必要な熱量を蓄熱槽１５に維持する。
【００７９】
蓄熱槽１５に所定の熱量が蓄積されると、回路２１に設けた供給ポンプ１８で熱媒体１９を循環させ、蓄熱槽１５で２００℃程度の熱媒体１９の蒸気を形成し、蒸気タービン２０に供給して回転させ、これと連動して発電機２３を回転させて、発電を行うようにしている。
【００８０】
蒸気タービン２０から排出した熱媒体１９の蒸気は、貯湯タンク２２に送られ、水と熱交換を行い、その熱は貯湯タンク２２内にお湯として貯められる。
【００８１】
熱媒体１９の蒸気は、貯湯タンク２２内で凝縮し、液体となって供給ポンプ１８により蓄熱槽１５に送られ、再度加熱され蒸気を形成するようにしている。
【００８２】
この動作を繰り返すことにより、蒸気タービン２０で発電しながら貯湯タンク２２にお湯を貯め、給湯や暖房の必要なときに給水ポンプ２４を作動し、お湯を使用することでコージェネレーションシステムを構成するようにしている。
【００８３】
以上のように、本実施の形態においては、太陽熱を集熱する反射鏡１と、熱媒体を流す熱媒体配管を設けた集熱部３とを具備し、反射鏡１の端部は１８０°以上屈曲させて集熱部３を間隙を介して内包して構成したので、集熱部３から外部へ放射する輻射熱を防止でき、また、集熱部３の周りだけが高温状態で密閉てきるので、外部への放熱を防止でき、熱媒体７の温度を高くしても高効率に保てるから、熱媒体７の出口温度を上昇させることが可能となり、熱媒体７７，１９の流量を少なくでき、循環ポンプ１６、供給ポンプ１８の消費電力を低減できると共に、蓄熱槽１５と貯湯タンク２２の蓄熱量が増加できる。
【００８４】
また、太陽熱は反射鏡１で複数回反射させる様にできるため、反射鏡１の背の高さを低
くする構成が可能となり、外装８の高さ方向も低くなり薄く構成でき、屋根材として設置が容易になるコージェネレーションシステムを提供することができる。そして、独立した集熱用の回路１７を構成して、集熱器１４で得られた太陽熱を蒸気タービン２０の動作に関係なく、常時蓄熱槽１５に蓄えて維持できるので、発電の必要なときに蒸気タービン２０で必要な熱媒体１９の蒸気を随時取り出すことができる。
【００８５】
また、集熱器１４で得られた太陽熱を蒸気タービン２０の動作に関係なく、常時蓄熱槽１５に蓄えて維持できるので、１年間の日射が強い時（例えば、夏至の頃）の集熱温度の上昇時に発電をしないかまたは発電を小さく抑えた時に、熱媒体７の蒸気の持つ過剰な熱量を蓄熱槽１５で吸収するので、集熱器１４の異常な温度上昇を防止することができる。
【００８６】
そして、回路２１の途中に貯湯タンク２２を設けたので、発電に関係なく蓄熱槽１５の熱をお湯として貯湯タンク２２に貯めることが可能なので、給湯や暖房に必要なお湯を随時取り出せることができる。
【００８７】
さらに、太陽熱を利用して熱媒体１９の蒸気を形成し、蒸気タービン２０を回転させて発電するので、発電と給湯・暖房のコージェネレーションシステムを実現することで、太陽熱という自然エネルギを活用し省エネ促進とＣＯ２削減の有効な手段を得ることができる。
【００８８】
（実施の形態３）
図３は、実施の形態３を示し、集熱器１４で形成した熱媒体７の蒸気を循環ポンプ１６より回路１７（閉回路）で直接蒸気タービン２０に送り、蒸気タービン２０を回転させて発電機２３により発電を行い、また、回路１７の蒸気タービン２０と循環ポンプ１６の途中に貯湯タンク２２を設けて、蒸気タービン２０に運動エネルギを与えた後の高温蒸気の熱を利用して、貯湯タンク２２に湯を貯めるようにしている。
【００８９】
以上のように構成された熱交換器について、以下その動作、作用を説明する。
【００９０】
熱媒体７は、この貯湯タンク２２に熱を伝えるときに凝縮して液体となり、再度集熱器１４に送られて加熱され蒸気を形成するようにしている。この動作を繰り返すことで、蒸気タービン２０に設けた発電機２３により発電しながら貯湯タンク２２にお湯を貯めるようにしている。
【００９１】
貯湯タンク２２に貯められたお湯は、給水ポンプ２４により給湯用に供給されるようにしている。
【００９２】
以上のように、本実施の形態においては、コージェネレーションシステムを簡素化するので、システムの低コスト化を図ることができる。また、集熱器１４で得られた太陽熱を蒸気タービン２０の動作に関係なく、常時貯湯タンク２２にお湯として蓄えるので、１年間の日射が強い時（例えば、夏至の頃）の集熱温度の上昇時に発電をしないかまたは発電を小さく抑えた時に、熱媒体７の蒸気の持つ過剰な熱量を貯湯タンク２２で吸収するので、集熱器１４の異常な温度上昇を防止することができる。
【００９３】
（実施の形態４）
図４は、本発明の実施の形態４を示し、集熱器１４で形成した熱媒体７の蒸気を循環ポンプ１６より回路１７（閉回路）で直接蒸気タービン２０に送り、蒸気タービン２０を回転させて発電機２３により発電だけを行うようにしている。発電した電気は、バッテリー２５に充電するようにしている。バッテリー２５は、鉛電池、ニッケル水素電池、リチウムイオン電池、キャパシタ等で構成している。
【００９４】
以上のように構成された熱交換器について、以下その動作、作用を説明する。
【００９５】
熱媒体７の蒸気は、蒸気タービン２０に運動エネルギを伝えた後に凝縮して液体となり、再度集熱器１４に送られて加熱され蒸気を形成するようにしている。この動作を繰り返すことで、蒸気タービン２０に設けた発電機２３により発電を行うようにしている。
【００９６】
発電機２３により発電した電気は、バッテリー２５０に充電し、天候により集熱器１４の集熱温度が変動しても安定した出力が得られるようにしている。このため、集熱器１４と循環ポンプ１６と蒸気タービン２０の簡素化されたシステムを構成するので、設置が容易となり、低コスト化も実現することができる。
【００９７】
また、発電した電気をバッテリー２５に蓄えるので、１年間の日射が強い時（例えば、夏至の頃）に発電量が増加しても、バッテリー２５で吸収し、集熱器１４と蒸気タービン２０の運転を持続させて使い勝手を向上することができる。
【産業上の利用可能性】
【００９８】
以上のように、本発明にかかる集熱器は、外装からの放熱を防止し、エネルギ密度の低い太陽光から熱を回収して効率よい熱交換を行って熱媒体を加熱できるので、住宅の給湯や発電のための加熱装置に適用することができる。
【図面の簡単な説明】
【００９９】
【図１】本発明の実施の形態１における太陽熱集熱器の部分断面の構成図
【図２】本発明の実施の形態２における太陽熱ランキンシステムを搭載したコージェネレーションシステムの構成図
【図３】本発明の実施の形態３における他の太陽熱ランキンシステムを搭載したコージェネレーションシステムの構成図
【図４】本発明の実施の形態４における他の太陽熱ランキンシステムの構成図
【図５】従来例における太陽熱集熱器の斜視図
【符号の説明】
【０１００】
１  反射鏡
３  集熱部
７  熱媒体
８  外装
９  透過体
【図２】
2008133991.tif 000003
【図３】
2008133991.tif 000004
【図４】
2008133991.tif 000005
【図１】
2008133991.tif 000006
【図５】
2008133991.tif 000007